(57)【特許請求の範囲】
【請求項１】
文字や画像を表示する表示部と、
前記表示部を収納する本体と、
前記本体から前記表示部を露出させる付勢手段と、
前記本体と前記表示部との接触面に設けられた表示部クリーニング部と、
を備えた携帯電話装置。
【請求項２】
前記本体に収納した状態で前記表示部の表示内容の一部を視認可能とする表示部視認窓を備えることを特徴とする請求項１記載の携帯電話装置。
【発明の詳細な説明】
【０００１】
【発明の属する技術分野】
本発明は、表示部を携帯電話装置の本体に対し水平方向に収納露出自在に収納するよう構成した携帯電話装置に関するものである。
【０００２】
【従来の技術】
従来、上記のように構成した携帯電話装置としては、例えば、特開２００１−２４７６２号公報に記載されているようなものがあった。
以下、図５の（Ａ）、（Ｂ）を参照して、上記従来の携帯電話装置について説明する。この携帯電話装置１０は、両側部にガイドレール１１を有する表示部１３を有し、ガイドレール１１に沿って上下にスライドするキーパッド１２を備えて構成される。
【０００３】
そして、キーパッド１２は、通常の音声通話時には、閉じた状態で使用されるが、この状態では、表示部１３の一部のみが露出しており、例えば、電界強度表示、電話番号表示等の音声通話に必要な情報が表示される。しかし、メール等の文字情報を読む際には、キーパッド１２を下方向へ手動でスライドさせることによって、表示部１３の全画面を露出させることが可能である。
【０００４】
【発明が解決しようとする課題】
しかしながら、上記従来の携帯電話装置においては、表示部を全て露出したい場合には、如何なる装置も使用することなく、もう一方の手の指によりキーパッドをスライドさせなければならない、すなわち、両手を使用しなければならないという問題があった。
本発明は、上記従来の問題を解決するためになされたもので、表示部を携帯電話装置の本体から自動露出するよう構成した携帯電話装置を提供するものである。
【０００５】
【課題を解決するための手段】
本発明における携帯電話装置は、文字や画像を表示する表示部と、前記表示部を収納する本体と、前記本体から前記表示部を露出させる付勢手段と、前記本体と前記表示部との接触面に設けられた表示部クリーニング部と、を備えるという構成を有している。この構成により、簡単な構成で表示部を露出することができるとともに、表示部の出入りの際に表示部をクリーニングすることができる。
【０００６】
本発明における携帯電話装置は、前記本体に収納した状態で前記表示部の表示内容の一部を視認可能とする表示部視認窓を備えるという構成を有している。この構成により、表示部を本体の内部に収納した状態であっても、電話番号やバッテリーの残量等の情報を確認可能となる。
【００１１】
【発明の実施の形態】
以下、添付図面に基づき、本発明の第１ないし第３の実施の形態を詳細に説明する。
（第１の実施の形態）
まず、図１の斜視図、図２の（Ａ）、（Ｂ）の正面図を参照して、本発明の第１の実施の形態における携帯電話装置の構成を説明する。図１に示す携帯電話装置１は、文字や画像情報等を表示する表示部２と、表示部２を収納する本体３と、表示部２を本体３から出し入れ可能にする開口部４と、表示部２が本体３に収納された状態において表示内容の一部を確認可能にする表示部視認窓５と、表示部２を本体３から露出するときに使用する付勢手段６と（詳細は図２のＡ、Ｂに示す）、表示部２を本体３から露出するときに付勢手段６を付勢する付勢手段制御手段７とを備えて構成される。
【００１２】
なお、付勢手段制御手段７および付勢手段６により、表示部２を段階的にまたは一度に露出する装置（いわゆるポップアップ装置）を構成する。ポップアップ装置は如何なる構成のものでもよいが、大きく分類すれば、例えば、機械式と電気式がある。機械式であれば、付勢手段６として、例えば、表示部２を押出すことにより上昇または露出させる弾性部材を使用した押出式作動手段を使用し、付勢手段制御手段７として、表示部２の収納時には、付勢手段６の弾性部材を圧縮抑止し、表示部２の露出時には、付勢手段６を作動して表示部２を露出させる付勢手段制御部材を使用することができる。
また、付勢手段６の弾性部材は、金属ばね、プラスチックまたはゴム等、弾力性があり、付勢手段制御部材による抑止から解放されたときに表示部２をポップアップできるものであれば、如何なる形状または材質のものでもよい。
【００１３】
また、ポップアップ装置が電気式のものであれば、付勢手段６に例えば、モータまたは電動ソレノイド等の電動作動手段を用い、付勢手段制御手段７を付勢手段６に通電する付勢手段制御スイッチ７とし、付勢手段制御スイッチ７をオンすることにより、例えば、電動ソレノイドに通電して、段階的にまたは連続的に表示部２を上昇または露出させるよう構成する。
以上、本実施の形態における付勢手段６および付勢手段制御手段７について説明したが、このような構成のものに限らず、簡単な手段により、表示部２を容易に上昇または露出させる構成のものであれば、他の如何なる構成のものでもよい。
【００１４】
次に、図１および図２を参照して、本発明の第１の実施の形態における携帯電話装置の動作を説明する。まず、待ち受け時では、図２の（Ａ）に示すように、表示部２は本体３の内部に収納されている。このとき電話番号やバッテリーの残量等の情報は、表示部２に表示されているものが表示部視認窓５を通して確認可能である。
【００１５】
次に、文字情報の入力や画像の閲覧など、表示部の大きな領域を利用したい場合は、例えば、電気式ポップアップ装置を使用する場合は、付勢手段制御スイッチ７をオンすることにより付勢手段６を作動して、図２の（Ｂ）に示すように、表示部２を開口部４から露出する。また、通話時等において表示部２の大きな領域を利用しない場合には表示部２を本体３の内部に収納する。
【００１６】
本実施の形態による携帯電話装置は、上記のように構成したことにより、待ち受け時および通話時にはコンパクトであり、文字情報の入力や画像の閲覧の際には、付勢手段制御手段７を押圧するだけで表示部２を自動露出して、表示部２の大きな領域を利用することができるという効果が得られる。また、表示部収納時においても、電話番号やバッテリーの残量等の情報を確認することができる。
【００１７】
（第２の実施の形態）
次に、図３の（Ａ）、（Ｂ）の斜視図を参照して、本発明の第２の実施の形態における携帯電話装置の構成を説明する。図２に示す携帯電話装置１は、本発明の第１の実施の形態のものとは、本体３に表示部２の表示内容の一部を拡大するレンズ付き視認窓８を備えた点が相違している。
【００１８】
本実施の形態による携帯電話装置は、上記のように構成したことにより、表示部２を本体３の内部に収納している状態において、電話番号やバッテリーの残量等といった情報を、表示部２が本体３から露出している状態よりも大きなサイズで確認することができるという効果が得られる。
【００１９】
（第３の実施の形態）
次に、図４の斜視図を参照して、本発明の第３の実施の形態における携帯電話装置の構成を説明する。図４に示す携帯電話装置１は、本発明の第１の実施の形態のものとは、本体３の開口部４における表示部２との接触面に表示部クリーニング部９を設けた点が相違している。
【００２０】
本実施の形態による携帯電話装置は、上記のように構成したことにより、表示部２が開口部４を通って本体３から出入りする際に表示部２をクリーニングすることができるとともに、表示部２を収納しているときには、表示部２を保護することができるいう効果が得られる。
【００２１】
【発明の効果】
本発明における携帯電話装置は、上記のように構成され、特に、表示部を露出するために付勢手段制御手段および付勢手段を使用して表示部を自動露出するようにしたことにより、携帯電話装置を保持する方の手の指で付勢手段制御手段を操作するだけで表示部を容易に露出して、表示部の表示領域を大きくし画面一杯に表示することが可能になる。
【図面の簡単な説明】
【図１】本発明の第１の実施の形態における携帯電話装置の構成を示す斜視図、
【図２】本発明の第１の実施の形態における携帯電話装置の構成を示す正面図、
（Ａ）は表示部露出時を示す図、
（Ｂ）は表示部収納時を示す図、
【図３】本発明の第２の実施の形態における携帯電話装置の構成を示す斜視図、
（Ａ）は表示部露出時を示す図、
（Ｂ）は表示部収納時を示す図、
【図４】本発明の第３の実施の形態における携帯電話装置の構成を示す斜視図、
【図５】従来の携帯電話装置の構成を示す斜視図、
（Ａ）は表示部収納時を示す図、
（Ｂ）は表示部露出時を示す図。
【符号の説明】
１、１０  携帯電話装置
２、１３  表示部
３  本体
４  開口部
５  表示部視認窓
６  付勢手段
７  付勢手段制御手段
８  レンズ付き視認窓
９  表示部クリーニング部
１１  ガイドレール
１２  キーパッド
【図１】
0003958624.tif 000002
【図２】
0003958624.tif 000003
【図３】
0003958624.tif 000004
【図４】
0003958624.tif 000005
【図５】
0003958624.tif 000006